(57)【要約】【課題】回転リールの遊技者が視認する部分の広範囲が照明されるとともに、設計コストおよび製造コストを抑制できる遊技機を提供する。【解決手段】回転リール２２ａと照明部材６０とを備えた遊技機において、照明部材６０は、回転リール２２ａを照明する発光素子６５を備えた照明基板６１ａ，６１ｂと、この照明基板６１ａ，６１ｂを保持する保持部材６２と、を備え、保持部材６２は、発光素子６５から回転リール２２ａ側に発せられる光の向きが回転リール２２ａの前方側に傾くように照明基板６１ａ，６１ｂを傾ける傾け部材６４ｆを備えるため、発光素子６５から回転リール２２ａ側に発せられる光の向きが回転リール２２ａの前方側に傾き、発光素子６５から発せられる光の一部が、回転リール２２ａの前方を通って遊技機内部の他の部材に当たり、反射光となって回転リール２２ａを照らす。【選択図】図４
2017080156.tif 000002
【特許請求の範囲】
【請求項１】
外周面に複数種類の図柄が配列されている回転リールと照明部材とを備えた遊技機において、
前記照明部材は、前記回転リールを照明する発光素子を備えた照明基板と、この照明基板を保持する保持部材と、を備え、
前記保持部材は、前記発光素子から前記回転リール側に発せられる光の向きが前記回転リールの前方側に傾くように前記照明基板を傾ける傾け部材を備えることを特徴とする遊技機。
【請求項２】
前記発光素子が発する光の一部を前記回転リールに向けて反射する反射部材を備えることを特徴とする請求項１に記載の遊技機。
【発明の詳細な説明】
【技術分野】
【０００１】
本発明は、回転リールを照明する照明部材を備えた遊技機に関する。
【背景技術】
【０００２】
従来から外周面に図柄が配列された複数の回転リールを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。また、この種の遊技機は、遊技者の回転開始操作を契機として、内部抽選を行うとともに複数の回転リールの回転を開始させ、遊技者の停止操作を契機として、内部抽選の結果に応じた態様で複数の回転リールを停止させる制御を行っている。そして、遊技の結果は、複数の回転リールが停止した状態における入賞判定ライン（有効ライン）上に表示された図柄組合せによって判定され、遊技の結果に応じてメダル等の払い出しなどが行われる。すなわち、有効ライン上に内部抽選で当選した役に対応する図柄組合せで図柄が停止すると役が入賞したことになり、メダルの払い出しなどが行われる。
【０００３】
このように、回転リールの図柄組合せと当選およびメダルの払い出しは対応しており、遊技者は回転リールの図柄に注目して遊技を行うため、回転リールを照明する照明手段は、遊技者の興を削がないようにするために重要な役割を果たす。
【０００４】
また、所望の図柄組合せを揃えるために、遊技者は、回転する回転リールの図柄を注視しながら、所定のタイミングで停止操作を行う所謂「目押し」を行うこともあり、この際に遊技者が図柄を見極めやすくするためにも、回転リールを照明する照明手段は重要となる。
【０００５】
回転リールを照明する照明手段を備えた遊技機として、例えば、特許文献１には遊技機の筐体前面に設けられた表示窓と、表示窓より視認可能な回転リールと、筐体内部に設けられた光源部と、光源部から照射される光を反射して回転リールを照明する反射部と、を備えた遊技機が記載されている。
【先行技術文献】
【特許文献】
【０００６】
【特許文献１】特開２００４−２１５７９４
【発明の概要】
【発明が解決しようとする課題】
【０００７】
ところで、回転リールを照明する照明手段の取り付け位置によっては、回転リールの遊技者が視認する部分の一部が暗くなってしまう虞がある。例えば、左右に延びる回転軸に固定された回転リールと、遊技者が回転リールを視認するために回転リールの前方に設けられた表示窓と、回転リールを照明するためのＬＥＤを備えた照明部材と、を備え、照明部材は、表示窓より上方後側にＬＥＤの発光面が下側を向くように設けられており、表示窓は、上側ほど後側に向かうように水平面に対して傾斜して設けられている遊技機の場合、表示窓が鉛直に近い方向に設けられている遊技機に比べて回転リールに対する照明部材の相対位置が後側となる。
【０００８】
このため、表示窓が鉛直に近い方向に設けられている遊技機と同様の方向にＬＥＤの発光面を向けて照明部材が設けられている場合、ＬＥＤから発せられる光の内、回転リールの上面側で反射される光が多くなり、回転リールの下面側が暗くなってしまう。
【０００９】
この結果、回転リールの一部が暗くて遊技者から見えにくいといった問題や、回転リールの一部に光が集中することで遊技者の注意が必要以上にその部分に向けられてしまうといった問題が生じる。
【００１０】
また、これを回避するために、ＬＥＤから発せられる光の向きを変えるように照明部材を設ける部分の設計変更を行うとすると、他の部材の配置変更や金型の大幅な変更を伴い、設計コストおよび製造コストが増加してしまうといった問題がある。
【００１１】
本発明は、前記事情に鑑みてなされたもので、回転リールの遊技者が視認する部分の広範囲が照明されるとともに、設計コストおよび製造コストを抑制できる遊技機を提供することを目的とする。
【課題を解決するための手段】
【００１２】
前記目的を達成するために、本発明の遊技機は、外周面に複数種類の図柄が配列されている回転リールと照明部材とを備えた遊技機において、
前記照明部材は、前記回転リールを照明する発光素子を備えた照明基板と、この照明基板を保持する保持部材と、を備え、
前記保持部材は、前記発光素子から前記回転リール側に発せられる光の向きが前記回転リールの前方側に傾くように前記照明基板を傾ける傾け部材を備えることを特徴とする。
【００１３】
本発明においては、保持部材に備えられた傾け部材により照明基板が傾いて、発光素子から回転リール側に発せられる光の向きが回転リールの前方側に傾くため、発光素子から発せられる光の一部が、回転リールの前方を通って遊技機内部の他の部材に当たり、反射光となって回転リールを照らす。
したがって、回転リールの遊技者が視認する部分の広範囲が照明される。さらに、傾け部材により照明基板を傾けることで広範囲の照明を実現するため、光の向きを変えるために他の部材の配置変更や金型の大幅な変更等を必要とせず、設計コストおよび製造コストを抑制できる。
【００１４】
また、本発明の前記構成において、前記発光素子が発する光の一部を前記回転リールに向けて反射する反射部材を備えることが好ましい。
【００１５】
このような構成によれば、発光素子から発せられた光の一部、つまり回転リールに直接照射されなかった光を反射部材で反射させ、この反射された光で回転リールを照明することができる。
したがって、回転リールに直接照射されなかった光を、反射部材が無い場合に比べより十分かつ確実に回転リールに向けて反射させ、回転リールの遊技者が視認する部分の広範囲をより明るく照明することができる。
【発明の効果】
【００１６】
本発明の遊技機によれば、回転リールの遊技者が視認する部分の広範囲が照明されるとともに、設計コストおよび製造コストを抑制できる。
【図面の簡単な説明】
【００１７】
【図１】本発明の実施の形態に係る遊技機の一例を示すもので、その斜視図である。
【図２】同、前扉を開いた状態の斜視図である。
【図３】同、表示窓と照明部材と反射部材とを示す斜視図である。
【図４】同、照明基板から垂直方向に進む光の進路を示す図である。
【図５】同、照明部材の要部の断面図である。
【図６】同、照明部材の分解斜視図である。
【図７】同、照明基板を示す斜視図である。
【図８】同、保持部材本体を示すもので、（ａ）は照明部材本体を後側から見た斜視図、（ｂ）は照明部材本体を前側から見た斜視図である。
【図９】同、照明部材カバーを示すもので、（ａ）は照明部材カバーを後側から見た斜視図、（ｂ）は照明部材カバーを前側から見た斜視図である。
【発明を実施するための形態】
【００１８】
以下、本発明の実施の形態について図面を参照して説明する。本実施の形態は本発明を遊技機の一つであるスロットマシンに適用した場合を例にとって説明するが、本発明はスロットマシンに限ることなく、その他の遊技機に適用してもよい。
なお、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００１９】
まず、発明が適用されるスロットマシンＭの概略構成について説明する。
図１はスロットマシンＭを示す斜視図、図２は前扉を開いた状態のスロットマシンＭを示す斜視図である。
このスロットマシンＭは、筐体１を備えており、この筐体１は、底板、左右の側板、天板および背板を備え、当該筐体１の正面側に開口する正面開口部を有する箱形に形成されている。なお、底板の上面には、各部品に電力を供給するための電源装置を内蔵した電源ユニット４、メダルを貯留するとともにメダルを払い出す払い出し装置としてのホッパーユニット５等が設けられている。
【００２０】
また、筐体１の正面には、筐体１の正面開口部を開閉可能に閉塞する前扉３が設けられており、この前扉３は、前記開口上部を開閉可能に閉塞する上扉３０と、前記開口下部を開閉可能に閉塞する下扉４０とを備えている。
前記筐体１内には、交換ユニット２が着脱可能に設けられている。交換ユニット２は、種々の部品を設置あるいは固定するための支持体としての枠体２１と、この枠体２１に固定されたリールユニット２２および基板ユニット２４とから構成されている。ここで、リールユニット２２は、周囲に複数の図柄を表示した３個の回転リール２２ａと、回転リール２２ａを回転させるための駆動モータ（ステッピングモータ）を有している。また、基板ユニット２４は、ＣＰＵ、ＲＯＭ、ＲＡＭ、Ｉ／Ｏ等の電子部品を備えた基板を、基板ケースに収納したものである。そして、基板ユニット２４は、スロットマシンＭの遊技を制御するための遊技制御装置として機能する。
【００２１】
図１に示すように、上扉３０の下部には表示窓３１が設けられている。この表示窓３１は上側ほど後側に向かうように水平面に対して傾斜して設けられ、この表示窓３１の奥には、前記３個の回転リール２２ａが横一列に設けられている。各回転リール２２ａの外周面には複数種類の図柄が配列されており、回転リール２２ａが停止すると表示窓３１を通して１リール当たり３個の図柄が表示される。スロットマシンＭでは、横３本と斜め２本とからなる計５本の入賞有効ラインが設定されている。
そして、３個の回転リール２２ａが停止したときに入賞有効ライン上に停止した図柄の組み合わせによって当選役が入賞したか否かが表示される。
また、上扉３０の上部には、表示窓３１より大きい表示窓３２がほぼ鉛直に設けられている。この表示窓３２は上扉３０に設けられた表示ユニット２０（図２参照）の表示面を見るために設けられたものであり、この表示ユニット２０では、その表示面に遊技機における演出用の画像が表示されるようになっている。
また、上扉３０の表示窓３２の上部には、報知や演出などを行うための照明装置３４，３５，３４が左右に隣接して設けられ、表示窓３２と表示窓３１との間には報知や演出などを行うための横長の照明装置３６が設けられている。
さらに、表示窓３１の左右両側には報知や演出などを行うための照明装置３７が設けられている。
また、上扉３０の左右両側部には、報知や演出などを行うための照明装置３８が合計４個設けられている。なお、図１においては、右側の照明装置３７は右側下の照明装置３８と重なって図示されていないが、実際は右側にも左側と同様の照明装置３７が設けられている。
【００２２】
また、上扉３０は、図２に示すように、筐体１内に設けられた交換ユニット２にヒンジ３９，３９を介して回動可能に連結されることで、筐体１の開口上部を開閉するようになっている。また、下扉４０は筐体１にヒンジ３９，３９を介して回動可能に連結されることで、筐体１の開口下部を開閉するようになっている。
【００２３】
なお、このスロットマシンＭは、分離型筐体タイプの構造を有するものであり、遊技店における機種の交換時に、上扉３０が回動自在に取り付けられた交換ユニット２を交換するようになっており、機種の交換時に筐体１、下扉４０および筐体１内の電源ユニット４やホッパーユニット５等は、遊技店の島設備に取り付けられたままで、交換されないようになっている。また、スロットマシンＭは、分離型筐体タイプに限られるものではなく、機種交換時にスロットマシン全体を交換するものであってもよい。この場合に、前扉３を上扉３０と下扉４０に分けない一体の構造としてもよい。また、上扉３０と下扉４０とに分ける場合に、上扉３０を、筐体１の側板にヒンジ３９を介して回動自在に取り付けてもよい。
【００２４】
下扉４０は筐体１の開口下部を開閉可能に閉塞するための扉である。下扉４０は、外枠に中枠を嵌め込んで構成されている。
下扉４０の一方の縦方向の側縁部に下扉側蝶番が設けられている。そして、この下扉側蝶番を、筐体１の一方の側板に設けられた筐体側蝶番と係合させることで、下扉４０は、筐体１の一方の側板に回動自在に取り付けられている。また、上扉３０の下端部には、下扉４０の前面より後方側で下扉４０の上端より下側に突出する係合部が設けられ、下扉４０が閉じた状態で、上扉３０を開放することができない構造になっている。
【００２５】
また、下扉４０の上部には、スロットマシンＭを操作するための操作部５０が設けられている。操作部５０には、クレジットされたメダルを払い出すための精算スイッチ５２、ゲームを開始させるためのスタートレバー５３、回転リール２２ａの回転を停止させるためのストップスイッチ５４、メダルを投入するためのメダル投入口４２、メダル投入口４２の下方のメダル通路内で発生したメダル詰まりを解消するリジェクトボタン５５、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタン５５を挟んで、右側に表示ユニット５８が配置されている。なお、操作盤５７には、演出等の選択用の十字キー、決定ボタン、キャンセルボタン等を有している。
【００２６】
また、下扉４０の下部には、スロットマシン内部よりメダルを排出するためのメダル払い出し口と、メダル払い出し口から排出されたメダルを溜めておくためのメダル受け皿４３とが設けられている。また、操作部５０とメダル受け皿４３との間には液晶表示パネル４５が取り付けられている。また、この液晶表示パネル４５の左右両側にはそれぞれ報知や演出などを行うための照明装置４６が設けられている。
【００２７】
次に、本発明に係る照明部材、保持部材等について説明する。
図３および図４に示すように、上扉３０の裏側で表示窓３１の上部には、回転リール２２ａを照明するための左右に長尺な照明部材６０が設けられている。
図５および図６に示すように、照明部材６０は、照明基板６１ａ，６１ｂと、この照明基板６１ａ，６１ｂを保持する保持部材６２と、を備えている。また、保持部材６２は、保持部材本体６３と保持部材カバー６４とで構成されている。
【００２８】
照明基板６１ａ，６１ｂは、左右に長尺な帯板状であり、照明部材６０には、長手方向の長さが異なる二枚の照明基板６１ａ，６１ｂが備えられている。図７に示すように、照明基板６１ａ，６１ｂの下面には、チップＬＥＤ（発光素子）６５が長手方向に沿って一列に所定間隔で複数個設けられている。また、照明基板６１ａ，６１ｂの上面には、それぞれ照明基板６１ａ，６１ｂに電気を供給するハーネスを接続するための接続部６６が設けられている。
なお、発光素子６５はチップＬＥＤに限られず、例えば砲弾型ＬＥＤ等他の形状のＬＥＤやその他の発光素子であっても構わない。また、発光素子６５の配置や数についても特に限定されるものではない。発光素子６５は少なくとも一つ備えられていればよく、また、照明基板６１ａ，６１ｂ上の発光素子６５の配置は、横一列や横二列といったように規則的に配置されていてもよいし、ランダムに配置されていてもよい。また、照明基板の枚数や形状についても特に限定されるものではない。
【００２９】
保持部材本体６３は、図８に示すように、上扉３０側が開口した左右に長尺な箱形であり、左右に長尺な上下二枚の板（上板６３ａおよび下板６３ｂ）を備えている。下板６３ｂは、開口部側ほど広がるように上板６３ａに対して傾斜しており、下板６３ｂと上板６３ａとは、背面板６３ｃによって結合されている。
【００３０】
また、上板６３ａの上面には、長手方向の中央部に凹部６３ｄが設けられており、この凹部６３ｄの左右両側には、被係止部６３ｅが上板６３ａの一部を矩形上に切り欠いて形成されている。
また、保持部材本体６３の左右両側には、照明部材６０を上扉３０に取り付けるための取り付け部６３ｆが設けられている。この取り付け部６３ｆには、ねじを挿通するための挿通孔が設けられている。
【００３１】
図８（ｂ）に示すように、保持部材本体６３の内側には、仕切り板６３ｇが、保持部材本体６３を左右に仕切るようにして設けられている。なお、仕切り板６３ｇは保持部材本体６３の長手方向中央部より、図８（ｂ）において、左側に寄せて設けられている。
また、保持部材本体６３の左右の板の内側には、それぞれ照明基板６１ａ，６１ｂの一端部を挿入するための凹溝６３ｈが設けられており、仕切り板６３ｇの両面には、それぞれ照明基板６１ａ，６１ｂの他端部を挿入するための溝部６３ｉが設けられている。また、この凹溝６３ｈおよび溝部６３ｉの溝幅は、照明基板６１ａ，６１ｂの厚さより広くなっている。溝部６３ｉは仕切り板６３ｇの両面にそれぞれ、突出して形成された２つの突条の間に設けられている。
そして、右側の凹溝６３ｈと、これに対向する溝部６３ｉに、照明基板６１ａがその上面を上板６３ａ側に向けて挿入され、左側の凹溝６３ｈと、これに対向する溝部６３ｉに、照明基板６１ｂがその上面を上板６３ａ側に向けて挿入されている。
また、下板６３ｂには、右側の凹溝６３ｈとこれに対向する溝部６３ｉとの間に、支持部６３ｍが設けられており、この支持部６３ｍによって照明基板６１ａの長手方向中央部の下面が支持されるようになっている。
【００３２】
また、保持部材本体６３には、３つの突出板６３ｊが保持部材本体６３の開口部から突出させて設けられている。そのうち２つの突出板６３ｊはそれぞれ仕切り板６３ｇと支持部６３ｍと交差するようにして設けられ、１つの突出板６３ｊは上板６３ａの縁部中央に設けられている。
【００３３】
また、保持部材本体６３には、上板６３ａから背面板６３ｃにかけて、それぞれ照明基板６１ａ，６１ｂに電気を供給するハーネスを通すための２つの切り欠き部６３ｋが接続部６６を露出されるように、左右に離間して設けられている。
【００３４】
なお、本実施の形態においては、保持部材本体６３の上板６３ａ、下板６３ｂ、背面板６３ｃ、左右の板、凹部６３ｄ、被係止部６３ｅ、取り付け部６３ｆ、仕切り板６３ｇ、凹溝６３ｈ、溝部６３ｉ、突出板６３ｊ、切り欠き部６３ｋおよび支持部６３ｍは、半透明の白色の合成樹脂により一体として形成されている。しかし、必ずしも一体である必要はなく、一部の部材あるいは全ての部材が個別に存在しており、それらが接合されることで形成されていてもよい。また、素材についても特に限定されるものではなく、一部の部材あるいは全ての部材が他色の合成樹脂であってもよく、金属やガラス素材であってもよい。
【００３５】
図９に示すように、保持部材カバー６４は、保持部材カバー本体６４ａと、上板６４ｂと、係止爪６４ｃと、挿入孔６４ｄと、補強部６４ｅと、傾け部材６４ｆと、を備えている。
保持部材カバー本体６４ａは、帯板状であり、この保持部材カバー本体６４ａの上縁部の中央に上板６４ｂが保持部材カバー本体６４ａと直角に設けられている。また、保持部材カバー本体６４ａの上縁部には、上板６４ｂの左右両側にそれぞれ、係止爪６４ｃが、保持部材カバー本体６４ａと直角に突出して設けられている。また、保持部材カバー本体６４ａの長手方向中央部には、突出板６３ｊを挿入するための挿入孔６４ｄが、３つ設けられている。
【００３６】
そして、保持部材カバー６４と保持部材本体６３とは、係止爪６４ｃが被係止部６３ｅと係合し、上板６４ｂが凹部６３ｄに挿入され、突出板６３ｊが挿入孔６４ｄに挿入され、保持部材カバー本体６４ａが保持部材本体６３の開口部に当接し開口部を塞いだ状態で、結合している。
【００３７】
補強部６４ｅは、保持部材カバー本体６４ａの長手方向略中央部に、左右に離間して２つ設けられている。また、傾け部材６４ｆは、保持部材カバー本体６４ａと補強部６４ｅとの接合部に設けられている。
補強部６４ｅの上面は、凹溝６３ｈおよび溝部６３ｉが照明基板６１ａ，６１ｂを支える面よりも下側に位置し、かつ、この面と略平行となっている。また、図５に示すように、傾け部材６４ｆは、補強部６４ｅの上面から保持部材カバー本体６４ａに向けて上方に傾斜する傾斜面６４ｇを有しており、この傾斜面６４ｇの保持部材カバー本体６４ａ側は、凹溝６３ｈおよび溝部６３ｉが照明基板６１ａ，６１ｂを支える面よりも上側に位置している。
また、傾け部材６４ｆは、保持部材カバー本体６４ａと補強部６４ｅとの接合部に設けられたものとは別に、保持部材カバー本体６４ａに個別に設けられている。この個別に設けられた傾け部材６４ｆも傾斜面６４ｈを有しており、この傾斜面６４ｈは、保持部材カバー本体６４ａと補強部６４ｅとの接合部に設けられた傾け部材６４ｆの傾斜面６４ｇと、面一となっている。つまり、傾斜面６４ｇと傾斜面６４ｈとは仮想同一平面上に位置している。
そして、照明基板６１ａ，６１ｂは、背面板６３ｃ、凹溝６３ｈ、溝部６３ｉ、および傾け部材６４ｆにより支持されている。
また、照明基板６１ａ，６１ｂの先端縁部は傾斜面６４ｇと傾斜面６４ｈに載置され、当該傾斜面６４ｇ，６４ｈによって下方から支持されている。これによって、照明基板６１ａ，６１ｂは補強部６４ｅの上面ならびに凹溝６３ｈおよび溝部６３ｉが照明基板６１ａ，６１ｂを支える面に対して、傾斜している。つまり、照明基板６１ａ，６１ｂはその先端側に向かうほど補強部６４ｅの上面から離間するようにして傾斜している。
これによって、照明基板６１ａ，６１ｂは、図４に示すように、その発光素子６５から回転リール２２ａ側に発せられる光の向きが回転リール２２ａの前方側に傾くように傾斜されている。
【００３８】
なお、補強部６４ｅの上面は、凹溝６３ｈおよび溝部６３ｉが照明基板６１ａ，６１ｂを支える面と面一であってもよい。
【００３９】
また、本実施の形態においては、保持部材カバー６４の保持部材カバー本体６４ａ、上板６４ｂ、係止爪６４ｃ、挿入孔６４ｄ、補強部６４ｅ、および傾け部材６４ｆは、白色の合成樹脂により、一体として形成されている。しかし、必ずしも一体である必要はなく、一部の部材あるいは全ての部材が個別に存在しており、それらが接合されることで形成されていてもよい。また、素材についても特に限定されるものでなく、一部の部材あるいは全ての部材が他色の合成樹脂であってもよく、金属やガラス素材であってもよい。
【００４０】
上扉３０の照明部材６０が設けられている部分は、表示窓３１と略平行な面を有し、この面に保持部材カバー６４が接するようにして、保持部材本体６３に設けられた取り付け部６３ｆにネジが挿通され、このネジが上扉３０にねじ込まれることで、照明部材６０が上扉３０に固定されている。
【００４１】
また、図３および図４に示すように、上扉３０の裏側で表示窓３１の下部には、反射面７１と取り付け部７２とを備える反射部材７０が設けられている。この反射部材７０は、表示窓３１を挟んで照明部材６０と対向する位置に、照明部材６０からの光を反射するための反射面７１が、照明部材６０からの光を回転リール２２ａに向けて反射し、回転リール２２ａの照明部材６０から直接照明されない部分を照明できる向きとなるようにして、設けられている。なお、反射部材７０は取り付け部７２にネジが挿通され、このネジが上扉３０にねじ込まれることで、上扉３０に固定されている。
【００４２】
このような構成の遊技機においては、保持部材６２に備えられた傾け部材６４ｆにより照明基板６１ａ，６１ｂが傾くことで（図５参照）、発光素子６５から回転リール２２ａ側に発せられる光Ｈの向きが回転リール２２ａの前方側に傾き、発光素子６５から発せられる光Ｈの内、傾け部材６４ｆが無い場合には回転リール２２ａに当たり反射されてしまう光、特に照明基板６１ａ，６１ｂから垂直方向に進む光等、発光強度の強い光Ｈが、（図４に矢印で示すように）回転リール２２ａの前方を通り、反射部材７０で反射され、回転リール２２ａに当たる。
したがって、回転リール２２ａの遊技者が視認する部分の広範囲を明るく照明することができる。
【００４３】
また、このような構成の遊技機においては、傾け部材６４ｆにより照明基板６１ａ，６１ｂを傾けることで広範囲の照明を実現するため、光の向きを変えるために他の部材の配置変更や金型の大幅な変更等を必要としない。さらに、保持部材本体６３と保持部材カバー６４とが結合する際に、保持部材本体６３の凹溝６３ｈおよび溝部６３ｉに支持された照明基板６１ａ，６１ｂの先端縁部が、傾け部材６４ｆの傾斜面６４ｇと傾斜面６４ｈとに沿って持ち上げられることで徐々に傾き、保持部材カバー本体６４ａが保持部材本体６３の開口部に当接したところで照明基板６１ａ，６１ｂの傾きが決まるようになっているため、製造工程を変えることなく、保持部材本体６３と保持部材カバー６４との結合と同時に照明基板６１ａ，６１ｂの傾けが行われる。
したがって、設計コストおよび製造コストを抑制できる。
【００４４】
なお、傾け部材６４ｆは、保持部材カバー６４ではなく、保持部材本体６３に設けられていてもよい。例えば、凹溝６３ｈまたは溝部６３ｉまたは凹溝６３ｈと溝部６３ｉとの両方の開口部側に傾け部材６４ｆが設けられていてもよい。
また、傾け部材６４ｆの形状は、本実施の形態のような平らな傾斜面を持つ形状に限られない。傾斜面が曲面であってもよいし、ドーム状等の突起により照明基板６１ａ，６１ｂの一部を支え照明基板６１ａ，６１ｂを傾けることとしてもよい。
また、保持部材本体６３と保持部材カバー６４とは一体として形成されていてもよい。
また、反射部材７０は、結果として照明部材６０からの光を回転リール２２ａに向けて反射するものであれば、本実施の形態の形状に限られず、また、他の部材が反射部材７０を兼ねてもよい。
【符号の説明】
【００４５】
２２ａ  回転リール
６０  照明部材
６１ａ，６１ｂ  照明基板
６２  保持部材
６４ｆ  傾け部材
６５  発光素子
７０  反射部材
【図１】
2017080156.tif 000003
【図２】
2017080156.tif 000004
【図３】
2017080156.tif 000005
【図４】
2017080156.tif 000006
【図５】
2017080156.tif 000007
【図６】
2017080156.tif 000008
【図７】
2017080156.tif 000009
【図８】
2017080156.tif 000010
【図９】
2017080156.tif 000011